(57)【要約】　　　（修正有）【課題】１本以上の線材を、等しい長さで、或いは異なる長さで任意に選択して引き出すことができる、線材の巻取装置を提供する。【解決手段】二つ以上の各独立する主輪体１０，２０を設け、各該主輪体１０，２０には同一の中心孔１３，２３を設けた大回転輪１２，２２と小回転輪１５，２５とをそれぞれ設け、複数の該主輪体１０，２０の中心孔１３，２３をそれぞれ独立した固定軸３２，３４中に回転可能に挿入・嵌合し、線材がそれぞれ各大，小巻取凹部１６，２６，１７，２７中に巻き付けられるようにし、該巻きつけられた線材は、少なくとも二本以上のＡ線材５１とＢ線材５２，Ｃ線材５３とＤ線材５４とに区分することで、二本以上の線材が任意に選択して独立に引き出すことができるようにする。【選択図】　　　　図２
0003097673.tif 000002
【実用新案登録請求の範囲】
【請求項１】
二つ以上の独立する各主輪体を具有する線材の巻取装置において、
該主輪体の側壁面にはそれぞれ側面溝を設け、各該主輪体にはそれぞれ直径の大きな大回転輪と直径の小さな小回転輪とを設け、これらは皆中心孔を有し、各該大，小回転輪の輪面上にはそれぞれ大，小巻取凹部を設け、各該主輪体の中心孔を、それぞれ独立した固定軸上に回転可能に挿入嵌合し、
更に複数の渦巻状のバネ片をそれぞれ該側面溝中に嵌合してその底部端を該固定軸上に固定し、他端を各側面溝の壁面上に連結させ、
線材を大，小各巻取凹部中に巻き付け、異なる大，小各該巻取凹部の線材を、それぞれ少なくとも二本以上のＡ線材とＢ線材並びに少なくとも二本以上のＣ線材とＤ線材とに分けることにより、
任意に選択して独立に該Ａ線材或いはＢ線材を長く、また該小巻取凹部中の該Ｃ線材とＤ線材は短く引き出すことを可能としたことを特徴とする線材の巻取装置。
【請求項２】
該主輪体は、左，右各外殻及び中間の隔離板が一体となって構成された外殻に収容されてなり、
且つ、それぞれの該外殻内部の収納凹部中には固定軸が固定されており、
更に該中間隔離板の上方には複数の上パイロット孔、及び下方には下穿孔が設けられており、
該Ａ，Ｂ各線材が該上パイロット孔より引出され、該Ｃ，Ｄ各該線材が該下穿孔より引出されることを特徴とする請求項１記載の線材の巻取装置。
【請求項３】
該それぞれの固定軸は、それぞれ独立した固定軸であり、各独立した外殻の内部収納凹部中に固定され、それぞれ隣り合う各外殻は、直列に配列されており、且つ各外殻の上方には上パイロット孔が設けられ、下方には下穿孔が設けられており、
各隣り合う該外殻の収納凹部中のＣ線材及びＤ線材はそれぞれ相対する該上パイロット孔と該下穿孔より引出し、該Ｃ線材とＤ線材とが１本の連続する線材となっていることを特徴とする請求項１記載の線材の巻取装置。
【請求項４】
該複数のＣ，Ｄ各線材は、滑り止めが嵌設されていることで該下穿孔中にて定位され、該Ｃ，Ｄの各線材に固定端が提供されていることを特徴とする請求項１記載の線材の巻取装置。
【請求項５】
該複数のＣ，Ｄ各線材は１本の独立した下線材となっており、該独立した下線材の末端には電気製品用のコネクタが連結されていることを特徴とする請求項１記載の線材の巻取装置。
【請求項６】
該Ａ，Ｂ各線材は、上パイロット孔より引き出され、その末端にはイヤホンマイクが連結されていることを特徴とする請求項１記載の線材の巻取装置。
【請求項７】
該各主輪体の大，小各回転輪の間には、係止溝を具有する環状片が設けられており、
該係止溝で線材を固定して、該Ａ，Ｂ各線材とＣ，Ｄ各線材間が滑動するのを防止していることを特徴とする請求項１記載の線材の巻取装置。
【考案の詳細な説明】
【０００１】
【考案の属する技術分野】
本考案は信号ワイヤの巻取装置に係り、特に異なる長さの線材が応用して引き出し，収納することのできる線材の巻取装置に関わる。
【０００２】
【従来の技術】
公知の線材の巻取構造としては、大，小各回転輪が連動して連動回転し、且つこれらは同一の中心軸に回転可能な状態で設置されており、ワイヤなどが該大，小各回転輪の線材収納凹部中に巻かれているものがある。該大，小各該回転輪の直径の大きさは異なる比例の設計とされていることで、上の線材が長く引っ張り出されるが、下の線材は短く引っ張りだされるものである。
【０００３】
【考案が解決しようとする課題】
しかし上述の公知の技術によると、単一の線材を引っ張ることができるのみであり、イヤホンのように二つ、或いはそれ以上の本数の線材を引っ張ることはできない。
そこで上述の欠点に鑑み、１本以上の線材を、等しい長さで、或いは異なる長さで選択性を以って引っ張ることができる、本考案の線材の巻取装置を提供する。
【０００４】
【課題を解決するための手段】
二つ以上の各独立する主輪体を設け、各該主輪体には同一の中心孔を設けた大回転輪と小回転輪とをそれぞれ設け、複数の該主輪体の中心孔をそれぞれ独立した固定軸中に回転可能な状態で設置し、線材がそれぞれ各大，小巻取凹部中に巻き付けられるようにし、異なる大小の各該巻取凹部に巻きつけられた線材は、少なくとも二本以上のＡ線材とＢ線材，Ｃ線材とＤ線材とに区分されるようにし、二本以上の線材が、選択性を以って独立して引っ張ることができるようにする。
【０００５】
【考案実施の形態】
図１，２に示すように、本考案には二つ以上のそれぞれが独立した主輪体１０，２０を具有し、それらの側面にはそれぞれ側面溝１１，２１が設けられており、各該主輪体１０，２０には直径が大きな大回転輪１２，２２及びと直径がやや小さい小回転輪１５，２５とが設けられており、これらには皆中心孔１３，２３が設けられている。
該大，小各回転輪１２，２２，１５，２５の輪面上には、それぞれ大，小の巻取凹部１６，１７，２６，２７が設けられており、複数の該主輪体１０，２０の中心孔１３，２３は、それぞれ独立して設けられた固定軸３２，３４に回転可能に挿入・嵌合されている。
複数の渦巻状バネ片４２，４４は、それぞれ該側面溝１１，２１中に嵌合されており、該底部端４２１，４４１はそれぞれ該固定軸３２，３４上に連結されており、末端４２２，４４２はそれぞれ該側面溝１１，２１の壁面上に連結されている。
線材５０においては、それぞれ該大，小巻取凹部１６，１７，２６，２７中に巻きつけられており、該巻きつけられている線材５０は、少なくとも二本以上のＡ，Ｂ線材５１，５２及び、少なくとも二本以上のＣ，Ｄ線材５３，５４に分けられ、こうして単独で該Ａ線材５１或いはＢ線材５２を長く繰出し、該小巻取凹部１７，２７中のＣ線材５３或いはＤ線材５４を最短の長さで繰出するといったように調節できる。
該複数の固定軸３２，３４は、単一の外殻６０内部の収納凹部６１中に固定され、該外殻６０は左，右両外殻６２，６３及び中間の隔離板６４とが結合して成り、該中間の隔離板６４は、複数の固定軸３２，３４を隔離しており、該外殻６０の上方に複数の上パイロット孔６５，６６を、下方には下穿孔６７，６８を形成しており、該Ａ，Ｂ各線材５１，５２は、該上パイロット孔６５，６６より引出され、該Ｃ，Ｄ各線材５３，５４は該下穿孔６７，６８より引出される。
【０００６】
図７に示すように、二本以上の該固定軸３２，３４は、それぞれ独立した固定軸３３，３４であり、それぞれ別々に独立して外殻６０´内部の収納凹部６１中に固定され、各隣り合う外殻（６０´），６０´は縦向きに配列された状態を呈しており、各外殻６０´の上方には上パイロット孔６５´が、また下方には下穿孔６７´が設けられており、そのうち各隣り合う外殻６０´，６０´の収納凹部６１中のＣ，Ｄ線材５３，５４は、それぞれ互いに対応する上パイロット孔６５´と下穿孔６７´中を貫通し、該Ｃ，Ｄ線材５３，５４が同一の連続した線材５０を形成する。
該複数のＣ，Ｄ線材５３，５４は、該滑り止め５５を嵌設することで、該下穿孔６７，６８中に定位され、固定端を形成する（図２、８参照）。
該複数のＣ，Ｄ線材５３，５４は、独立した下線材５６となり、該独立した下線材５６の末端は、電気製品用のコネクタ５６１と連結されている（図２，３参照）。
該Ａ，Ｂ線材５１，５２は、該上パイロット孔６５，６６より引出され、その末端はイヤホンマイク７０に連結される。
各該主輪体１０，２０の大，小各回転輪１２，２２，１５，２５の間に設けられた環状片１９，２９には係止溝１９１，２０１が設けられ、該線材５０を挟持して固定し、該Ａ，Ｂ線材５１，５２とＣ，Ｄ線材５３，５４とが相互に滑動しないようにしている。
【０００７】
図１に示すように、該外殻６０の内部には、二つ以上の主輪体１０，２０が設けられており、使用者が任意に該Ａ線材５１かＢ線材５２の何れかを１本を選択して引き出すことができる。
図２に示すように、該Ａ線材５１を外に引き出す際、該主輪体１０は該Ａ線材５１の引っ張る力を受け、独立した固定軸３２を軸心として回転し、このときもう一つの主輪体２０は動かない。大，小の各該回転輪１２，１５は同軸，同方向で回転し、該大回転輪１２が一回転すると、該小回転輪１５も同様に一回転する。該大回転輪１２が一回転すると、該大巻取凹部１６中に出し入れされるＡ線材５１の長さはπ×Ｄ（Ｄは該大回転輪の直径）となり、同様に該小回転輪１５が一回転すると、該小巻取凹部１７より出し入れされる該Ｃ線材５３の長さがπ×ｄ（ｄは該小回転輪の直径）となる。
図２，４に示すように、該大，小各回転輪１２，１５が同軸上で回転するとき、該両者の巻かれる（もしくは繰出される）長さの比率は、該大，小回転輪１２，１５の直径の比（Ｄ：ｄ）に比例する。本考案の実施例では、該大，小各回転輪１２，１５の直径の比は１０：１に設定しており、例えば該Ａ線材５１が５０ｃｍ出されると、同時に該Ｃ線材５３が僅か５ｃｍのみ引き出され、同時に該滑り止め５５で該Ｃ線材５３がストップされ、該Ｃ線材５３が５ｃｍ引き出された状態でも、該小巻取凹部１７中で緩んだ状態となり、該外殻６０外には出てこない。同様に、使用者が該Ｂ線材５を外側に引っ張った際も、該Ａ線材５１はその作用を受けず、もう一つの独立する該主輪体２０がその駆動を受け、該Ｂ線材５２が独立してある一定の長さを引き出され、同時に独立した該Ｄ線材５４が該小巻取凹部２７中にて緩んだ状態を呈し、こうして該Ｄ線材５４が該外殻６０外に出ることがなく、該挟設溝１９１，２９１が該線材５０を挟設した状態となり、該Ａ，Ｂ線材５１，５２とＣ，Ｄ線材５３，５４の両者間が滑動することがなくなる。該Ｃ，Ｄ線材５３，５４は、更に独立した下線材５６を形成し、該独立した下線材５６の末端には各種電子機器に連結されるコネクタ５６１等が設けられ、該独立した下線材５６は、該滑り止め５５によって該Ｃ，Ｄ線材５３，５４を挟設してストップさせ、該Ａ，Ｂ線材５１，５２が引っ張られても、該独立した下線材５６は動かない。
つまり該Ａ線材５１或いはＢ線材５２が選択されて引っ張られるとき、両者の長さは同じ長さ、或いは異なる長さで引き出されるよう選択できるものとなっている。
【０００８】
線材をしまう方法においては、図３に示すように、該Ａ線材５１或いはＢ線材５２に張られる力が掛けられなくなったとき、該渦巻状のバネ片４２，４４の復元力により、各該独立した主輪体１０及び主輪体２０が反対方向に回転し、既に引き出されている該Ａ線材５１或いはＢ線材５２が、該大巻取凹部１６，２６中に巻き取られ、緩んだ状態を呈している該Ｃ，Ｄ線材５３，５４は、該小巻取凹部１７，２７中に堅く巻かれる。このとき、該滑り止め５５（５５）が該Ｃ，Ｄ線材５３，５４を固定することから、該独立した下線材５６は動かなくなる。
【０００９】
図５に示すように本考案の主輪体１０，２０を四つに増設した場合、各Ａ，Ｂ線材５１，５２の外側には各種電子機器に接続されるべくコネクタ５６１が設けられており、該Ｃ，Ｄ各線材５３，５４の末端にも同様にコネクタ５６１が設けられて各種電子機器に接続できるようになっている。図６に示すように、該Ａ，Ｂ各線材５１，５２の末端に連結されたコネクタ５６１はＵＳＢとし、該Ｃ，Ｄ各線材５３，５４に連結されたコネクタ５６１はプラグやその他各種のものとする。
【００１０】
図７に示すように、さらに他の実施例では二つ以上の該外殻６０´，６０´を直列方式で分布させるが、この目的は、更に多くの線材５０を収容するためであり、こうすることでより長い線材５０を引き出すことができるようになる。
該Ａ線材５１が引っ張られると、該主輪体１０は固定軸３２を軸心として回転し、該Ｃ線材５３が下穿孔６７´より少し引き出される。該Ｂ線材５２が引き出されると、該主輪体２０は該固定軸３４を軸心として回転し、該Ｄ線材５４は上パイロット孔６５´より少し引き出され、こうして該二つの主輪体１０，２０の大小各巻取凹部１６，２６，１７，２７中のＡ，Ｂ，Ｃ，Ｄ各線材５１，５２，５３，５４は皆大量に該二つの外殻６０´，６０´外に引き出される、つまり該線材５０が比較的長く引き出されるようになる。
【００１１】
図８に示すように、該滑り止め５５は該上パイロット孔６５´及び下穿孔６７´中に嵌設されて、該Ｃ，Ｄ各線材５３，５４にストップする個所を提供しており、該Ａ，Ｂ各線材５１，５２が外に引っ張られるとき、該Ｃ，Ｄ各線材５３，５４は該小巻取凹部１７，２７中にて緩んだ状態を呈し、該Ｃ，Ｄ各線材５３，５４が各該外殻６０´（６０´）から外に出ない。
【００１２】
【考案の効果】
本考案によると、１本以上の任意の線材が選択性を以って引き出され、且つその長さはそれぞれ違ったもの、或いは同一の長さで引き出すことに成功した。
【図面の簡単な説明】
【図１】本考案の外殻における分解説明図である。
【図２】本考案が線材を収納する状態における断面図である。
【図３】本考案が線材を繰出する状態における断面図である。
【図４】本考案が線材を繰出，収納する状態における側面図である。
【図５】本考案の実施例において、四つ以上の主回転輪を設けた際における断面図である。
【図６】本考案のＡ，Ｂ線材の末端に各コネクタを連結させた平面図である。
【図７】本考案におけるもう一つの実施例説明図である。
【図８】図７のパイロット孔に滑り止めを設けた際の断面図である。
【符号の説明】
１０，２０　主輪体
１１，２１　側面溝
１２，２２　大回転輪
１３，２３　中心孔
１５，２５　小回転輪
１６，２６　大巻取凹部
１７，２７　小巻取凹部
１９，２９　環状片
１９１，２９１　係止溝
３２，３４　固定軸
４２，４４　渦巻状バネ片
５０　線材
５１　Ａ線材
５２　Ｂ線材
５３　Ｃ線材
５４　Ｄ線材
５５　滑り止め
５６　独立下線材
６０，６０´　外殻
６１　収納凹部
６２　左外殻
６３　右外殻
６７，６８，６７´　下穿孔
６４　隔離板
６５，６６，６５´　上パイロット孔
７０　イヤホンマイク
１９１，２９１　挟設槽
４２１，４４１　底部
４２２，４４２　末端
５６１　コネクタ
【図１】
0003097673.tif 000003
【図２】
0003097673.tif 000004
【図３】
0003097673.tif 000005
【図４】
0003097673.tif 000006
【図５】
0003097673.tif 000007
【図６】
0003097673.tif 000008
【図７】
0003097673.tif 000009
【図８】
0003097673.tif 000010